(57)【要約】【課題】複数の集熱パネルを左右に並べて接続しても熱媒の排出が可能となる集熱パネルを提供する。【解決手段】集熱パネル本体１の上部に横方向に上横管２を、集熱パネル本体１の下部に横方向に下横管３を配管すると共に上横管２と下横管３との間に上横管２と下横管３とを連通させる複数本の縦管４を左右に並べて配管する。集熱パネル本体１の下部の横方向の一端側及び他端側に接続口５，６を設ける。一端側の接続口５に下横管３の一端側を連通させると共に他端側の接続口６に上横管２の他端側を縦連通管７を介して連通させる。縦連通管７の下端と下横管２の他端側とを横連通管８にて連通させると共に横連通管８に一端側から他端側への熱媒の流れを遮断するが他端側から一端側への熱媒の流れを許す逆止弁９を配置する。【選択図】        図１
2004317005.tif 000002
【特許請求の範囲】
【請求項１】
集熱パネル本体の上部に横方向に上横管を、集熱パネル本体の下部に横方向に下横管を配管すると共に上横管と下横管との間に上横管と下横管とを連通させる複数本の縦管を左右に並べて配管し、集熱パネル本体の下部の横方向の一端側及び他端側に接続口を設け、一端側の接続口に下横管の一端側を連通させると共に他端側の接続口に上横管の他端側を縦連通管を介して連通させ、縦連通管の下端と下横管の他端側とを横連通管にて連通させると共に横連通管に一端側から他端側への熱媒の流れを遮断するが他端側から一端側への熱媒の流れを許す逆止弁を配置したことを特徴とする集熱パネル。
【請求項２】
集熱パネル本体の上部に横方向に上横管を、集熱パネル本体の下部に横方向に下横管を配管すると共に上横管と下横管との間に上横管と下横管とを連通させる複数本の縦管を左右に並べて配管し、集熱パネル本体の下部の横方向の一端側及び他端側に接続口を設け、一端側の接続口に上横管の一端側を縦連通管を介して連通させると共に他端側の接続口に上横管の他端側を縦連通管を介して連通させ、一端側の縦連通管の下端と下横管の一端側とを横連通管にて連通させると共にこの横連通管に一端側から他端側への熱媒の流れを許すが他端側から一端側への熱媒の流れを遮断する逆止弁を配置し、他端側の縦連通管の下端と下横管の他端側とを横連通管に連通させると共にこの横連通管に一端側から他端側への熱媒の流れを遮断するが他端側から一端側への熱媒の流れを許す逆止弁を配置し、上記両逆止弁のうち一方を選択的に利かないようにして連通するようにしたこと特徴とする集熱パネル。
【請求項３】
逆止弁は横連通管の内面に全周に亙って設けた弁座用鍔部と、弁座用鍔部で囲まれた弁穴を開閉するために弁座用鍔部の片面側に回動自在に装着された弁板とで構成され、弁板を回転自在に支持した側と反対側から弁穴にスリーブが挿通されると共にスリーブの鍔が弁座用鍔部に当接されて弁板が開放保持されるようにしたことを特徴とする請求項２記載の集熱パネル。
【発明の詳細な説明】
【０００１】
【発明の属する技術分野】
本発明は、屋根面に敷設し、太陽光を利用して集熱する集熱パネルの構造に関するものである。
【０００２】
【従来の技術】
従来より、集熱パネルを屋根に設置して太陽光を利用したソーラー給湯システムがある。これは集熱パネルで集熱した熱を熱媒にて貯湯槽の熱交換器に循環させて貯湯槽内の水を加熱するもので、この貯湯槽内の湯を風呂や台所の給湯に利用するものである。
【０００３】
この集熱パネルＡは上方開口のケースとケースの開口部にガラスを貼った集熱パネル本体１内に集熱するため集熱管路を配管してあるものであり、図８に示すように集熱パネル本体１の上部に横方向に上横管２を、集熱パネル１の下部に横方向に下横管３を配管すると共に上横管２と下横管３との間に上横管２と下横管３とを連通させる複数本の縦管４を左右に並べて配管し、集熱パネル本体１の下部の横方向の一端側に接続口５を、他端側に接続口６を設け、一端側の接続口５に下横管３の一端側を連通させると共に他端側の接続口６に上横管２の他端側を縦連通管７を介して連通させてある。この集熱パネルＡは左右に複数枚並べられて隣り合う集熱パネルＡの対向する接続口５と接続口６を接続し、接続口５から接続口６の方に熱媒が流れて循環することで集熱するようになっている（上記の集熱パネルを並べるものと基本的に構造が同じものとして例えば特許文献１参照）。
【０００４】
上記集熱パネルＡで熱媒が循環すると、各集熱パネルＡでは接続口５から流入した熱媒は下横管３に流れ、下横管３から複数本の縦管４を通って上横管２に流れ、上横管２から縦連通管７を介して接続口６に流れるようになっている。
【０００５】
【特許文献１】
特開２００２−３１０５１０号公報
【０００６】
【発明が解決しようとする課題】
上記の集熱パネルＡでは、熱媒を交換するときには貯湯槽の熱媒排出用の水抜き栓を開いて熱媒を排出するが、このとき接続口５側に流れて抜けるのであるが、集熱パネルＡを複数枚並べてある場合には貯湯槽から送られる熱媒が入る最初の集熱パネルＡの熱媒が排出されるが、２枚目以降の集熱パネルＡの熱媒は縦連通管７の部分で抜けないという問題がある。
【０００７】
また集熱パネルＡは熱媒を循環させる方向により、図８のように左から右に熱媒を循環させる場合と、図９のように右から左に循環させる場合があるが、これに対応するためには図８に示すように接続口５を熱媒の入口側とする集熱パネルＡ１と、図９に示すように接続口６を熱媒の入口側とする集熱パネルＡ２を要し、対称な形状の２種類の集熱パネルＡ１，Ａ２を用意しなければならないという問題がある。
【０００８】
本発明は上記の点に鑑みてなされたものであり、複数の集熱パネルを左右に並べて接続しても熱媒の排出が可能となる集熱パネルを提供することを課題とするものである。
【０００９】
【課題を解決するための手段】
上記課題を解決するための本発明の請求項１の集熱パネルＡは、集熱パネル本体１の上部に横方向に上横管２を、集熱パネル本体１の下部に横方向に下横管３を配管すると共に上横管２と下横管３との間に上横管２と下横管３とを連通させる複数本の縦管４を左右に並べて配管し、集熱パネル本体１の下部の横方向の一端側及び他端側に接続口５，６を設け、一端側の接続口５に下横管３の一端側を連通させると共に他端側の接続口６に上横管２の他端側を縦連通管７を介して連通させ、縦連通管７の下端と下横管３の他端側とを横連通管８にて連通させると共に横連通管８に一端側から他端側への熱媒の流れを遮断するが他端側から一端側への熱媒の流れを許す逆止弁９を配置したことを特徴とする。
【００１０】
この集熱パネルＡを左右に並べて設置したとき、隣り合う集熱パネルＡの接続口５，６同士が接続される。この状態で集熱パネルＡに接続口５側から熱媒が流入すると、接続口５から下横管３に流入し、下横管３から複数の縦管４を通り、縦管４から上横管２に流入し、上横管２から縦連通管７を通って接続口６に流れる。このとき、下横管３と縦連通管７とが横連通管８にて繋がっているが、逆止弁９があるために横連通管８から直接接続口６に流れることなく、全ての熱媒が縦管４を通る。また熱媒を交換するために熱媒を排出するときは、接続口５側に流れるように抜けるのであるが、縦連通管７のある部分でも接続口６側から横連通管８を介して下横管３の方に熱媒が流れ、複数の集熱パネルＡを接続してあっても全ての熱媒が抜ける。
【００１１】
また本発明の請求項２の集熱パネルＡは、集熱パネル本体１の上部に横方向に上横管２を、集熱パネル本体１の下部に横方向に下横管３を配管すると共に上横管２と下横管３との間に上横管２と下横管３とを連通させる複数本の縦管４を左右に並べて配管し、集熱パネル本体１の下部の横方向の一端側及び他端側に接続口５，６を設け、一端側の接続口５に上横管３の一端側を縦連通管１０を介して連通させると共に他端側の接続口６に上横管３の他端側を縦連通管７を介して連通させ、一端側の縦連通管１０の下端と下横管３の一端側とを横連通管１１にて連通させると共にこの横連通管１１に一端側から他端側への熱媒の流れを許すが他端側から一端側への熱媒の流れを遮断する逆止弁９を配置し、他端側の縦連通管７の下端と下横管３の他端側とを横連通管８に連通させると共にこの横連通管８に一端側から他端側への熱媒の流れを遮断するが他端側から一端側への熱媒の流れを許す逆止弁９を配置し、上記両逆止弁９のうち一方を選択的に利かないようにして連通するようにしたこと特徴とする。
【００１２】
この集熱パネルＡも左右に並べて設置したとき、隣り合う集熱パネルＡの接続口５，６同士が接続される。この状態で集熱パネルＡに接続口５側から熱媒が流入する場合、横連通管１１の逆止弁９が利かないように開放しておく。すると、熱媒が接続口５から横連通管１１を介して下横管３に流入すると共に接側口５から縦連通管１０を通り、下横管３から複数の縦管４を通り、縦連通管１０及び縦管４から上横管２に流入し、上横管２から縦連通管７を通って接続口６に流れる。このとき、下横管３と縦連通管７とが横連通管８にて繋がっているが、逆止弁９があるために横連通管８から直接接続口６に流れることなく、全ての熱媒が縦連通管１０や縦管４を通る。また熱媒を交換するために熱媒を排出するときは、接続口５側に流れるように抜けるのであるが、縦連通管７のある部分でも接続口６側から横連通管８を介して下横管３の方に熱媒が流れ、複数の集熱パネルＡを接続してあっても全ての熱媒が抜ける。
【００１３】
また集熱パネルＡに接続口６側から熱媒が流入する場合、横連通管８の逆止弁９が利かないように開放しておく。すると、熱媒が接続口６から横連通管８を介して下横管３に流入すると共に接側口６から縦連通管７を通り、下横管３から複数の縦管４を通り、縦連通管７及び縦管４から上横管２に流入し、上横管２から縦連通管１０を通って接続口５に流れる。このとき、下横管３と縦連通管１０とが横連通管１１にて繋がっているが、逆止弁９があるために横連通管１１から直接接続口５に流れることなく、全ての熱媒が縦連通管７や縦管４を通る。また熱媒を交換するために熱媒を排出するときは、接続口６側に流れるように抜けるのであるが、縦連通管１０のある部分でも接続口５側から横連通管１１を介して下横管３の方に熱媒が流れ、複数の集熱パネルＡを接続してあっても全ての熱媒が抜ける。上記の集熱パネルＡでは熱媒が左右方向のいずれの方向に循環するとも同じ１種類の集熱パネルＡで対応することができる。また熱媒を排出するとき全ての集熱パネルＡの熱媒を抜くことができる。
【００１４】
また本発明の請求項３の集熱パネルＡは、請求項２において、逆止弁９は横連通管８，１１の内面に全周に亙って設けた弁座用鍔部１２と、弁座用鍔部１２で囲まれた弁穴１３を開閉するために弁座用鍔部１２の片面側に回動自在に装着された弁板１４とで構成され、弁板１４を回転自在に支持した側と反対側から弁穴１３にスリーブ１５が挿通されると共にスリーブ１５の鍔１５ａが弁座用鍔部１２に当接されて弁板１４が開放保持されるようにしたことを特徴とする。横連通管８，１１の逆止弁９が利かなく連通するようにするとき、接続口５，６から弁穴１３にスリーブ１５を差し込むだけでよく、逆止弁９を利くようにしたり、利かないようにしたりする操作が容易にできる。
【００１５】
【発明の実施の形態】
先ず、図１、図２に示す例から述べる。集熱パネル本体１は上面を開放せるケースの上面開口にガラス板を装着してあり、集熱パネル本体１内には集熱するための配管を施して集熱パネルＡが形成されている。集熱パネル本体１の上部には上横管２を下部には下横管３を左右方向に配設してあり、上横管２と下横管３との間には複数本の縦管４を平行で且つ等間隔に配置してあり、縦管４を上横管２及び下横管３に夫々連通させてある。集熱パネル本体１の下部には一端側に接続口５を設けてあると共に他端側に接続口６を設けてあり、一端側の接続口５は下横管３の一端側に連通させてあり、接続口６は縦連通管７を介して上横管２の他端側に連通させてある。そして縦連通管７の下端は接続口６と同じレベルで横連通管８にて下横管３の他端側に連通させてあり、横連通管８に逆止弁９を配設してある。この逆止弁９は一端側から他端側へ向けて熱媒が流れるのを遮断し、他端側から一端側に熱媒が流れるのを許すようになっている。この逆止弁９は横連通管８の内面に周方向に亙って弁座用鍔部１２を設け、弁座用鍔部１２で囲まれた弁穴１３を開閉する弁板１４を弁座用鍔部１２の一端側の面に回転自在に連結して形成されている。上記上横管２、下横管３、縦管４、縦連通管７等は太陽熱の集熱性の高い樹脂管等で形成されている。
【００１６】
上記のように構成せる集熱パネルＡは左右に複数並べられ、隣り合う集熱パネルＡの接続口５と接続口６とが接続される。一方、図３に示すように貯湯槽１７内の下部にはコイル状の熱交換器１８を配置してあり、熱交換器１８の一端と複数の集熱パネルＡのうち一方の端部の集熱パネルＡの接続口５とを往路用管路１９にて連通させてあり、熱交換器１８の他端と複数の集熱パネルＡのうち他方の端部の集熱パネルＡの接続口６とを復路用管路２０にて連通させてある。そして熱交換器１８、往路用管路１９、復路用管路２０、集熱パネルＡの配管には熱媒を充填してあり、往路用管路１９に配置した循環ポンプ２１を駆動することで熱媒が往路用管路１９を通り、複数の集熱パネルＡを通って集熱し、復路用管路２０を通って熱交換器１８に通るように熱媒が循環するようになっている。復路用管路２０の途中には熱媒の膨張を吸収する膨張タンク２２を配置してある。また往路用管路１９及び復路用管路２０の最もレベルの低い位置には夫々開閉自在な排水弁２３を配置してある。
【００１７】
貯湯槽１７の底部には給水管２４を接続してあり、給水管２４には開閉自在な給水弁２５を設けてあり、給水管２４から貯湯槽１７に給水できるようになっている。貯湯槽１７の上部には給湯管２６を接続してあり、給湯管２６に給湯弁２７を設けてあり、熱交換器１８にて熱交換することで加熱された湯が給湯管２６にて風呂、台所等に給湯できるようになっている。
【００１８】
循環ポンプ２１を駆動することにより熱媒が循環するが、各集熱パネルＡでは接続口５から熱媒が下横管３に流入し、下横管３から複数の縦管４を通って上横管２に流れ、上横管２から縦連通管７を介して接続口６に至るように流れ、太陽光から集熱される。このとき、下横管３と縦連通管７とが横連通管８にて繋がっているが、逆止弁９があるために横連通管８から直接接続口６に流れることなく、全ての熱媒が縦管４を通る。このように熱媒が流れることにより、太陽光から熱媒に効果的に集熱できる。
【００１９】
また熱媒を交換するときは排水弁２３を開放して熱媒が排出される。往路用管路１９の排水弁２３を開放することにより、主に往路用管路１９、集熱パネルＡ及び熱交換器１８の熱媒が排出され、復路用管路２０の排水弁２３を開放することにより、主に復路用管路２０及び膨張タンク２２の熱媒が排出されるようになっている。集熱パネルＡの熱媒が排出されるときは、接続口５側に熱媒が流れるように抜けるのであるが、縦連通管７のある部分でも接続口６側から横連通管８を介して下横管３の方に熱媒が流れ、複数の集熱パネルＡを接続してあっても全ての熱媒が抜ける。
【００２０】
次に、図４乃至図７に示す例について述べる。本例も上記例と基本的に同じであり、共通する点の説明は省略し、異なる点だけを主に述べる。集熱パネル本体１の上部には上横管２を下部には下横管３を左右方向に配設してあり、上横管２と下横管３との間には複数本の縦管４を平行で且つ等間隔に配置してあり、縦管４を上横管２及び下横管３に夫々連通させてある。集熱パネル本体１の下部には一端側に接続口５を設けてあると共に他端側に接続口６を設けてあり、一端側の接続口５は縦連通管１０を介して上横管２の一端側に連通させてあり、他端側の接続口６は縦連通管７を介して上横管２の他端側に連通させてある。
【００２１】
そして縦連通管１０の下端は接続口５と同じレベルで横連通管１１にて下横管３の一端側に連通させてあり、縦連通管１０の下端は接続口６と同じレベルで横連通管８にて下横管３の他端側に連通させてあり、横連通管１１，８には夫々逆止弁９を配置してある。横連通管１１に配置する逆止弁９は一端側から他端側への熱媒の流れを許すが、他端側から一端側への熱媒の流れを阻止するものである。横連通管８に配置する逆止弁９は一端側から他端側への熱媒の流れを阻止するが、他端側から一端側への熱媒の流れを許すものである。逆止弁９は横連通管１１，８の内面に周方向に亙って弁座用鍔部１２を設け、弁座用鍔部１２で囲まれた弁穴１３を開閉する弁板１４を弁座用鍔部１２に回転自在に連結して形成されており、横連通管１１では弁座用鍔部１２の他端側の面に回転自在に連結し、横連通管８では弁座用鍔部１２の一端側の面に回転自在に連結してある。
【００２２】
横連通管１１の逆止弁９と横連通管８の逆止弁９とは選択的に利かないように開放されるようになっているが、この開放具として一端に鍔１５ａのある円筒状のスリーブ１５を用いられる。つまり、弁板１４と反対側からスリーブ１５が弁穴１３に挿通され、鍔１５ａが弁座用鍔部１２に当接されて弁板１４が開放保持される。
【００２３】
上記のように構成せる集熱パネルＡは左右に複数並べられ、隣り合う集熱パネルＡの接続口５と接続口６とが接続される。複数並べた集熱パネルＡのうち一方の端部の集熱パネルＡの接続口５に往路用管路１９を接続し、他方の端部の集熱パネルＡの接続口６に復路用管路２０を接続して使用する場合、図６に示すように横連通管１１の逆止弁９が利かないように弁穴１３にスリーブ１５を挿通する。この状態で循環ポンプ２１を駆動して熱媒を循環させると、接続口５から流入した熱媒は縦連通管１０を流れると共に横連通管１１を介して下横管３に流れ、下横管３から縦管４を流れ、縦連通管１０及び縦管４から上横管２に流れ、上横管２から縦連通管７を介して接続口６に流れ、太陽光から集熱される。このとき、下横管３と縦連通管７とが横連通管８にて繋がっているが、逆止弁９があるために横連通管８から直接接続口６に流れることなく、全ての熱媒が縦管４及び縦連通管１０を通る。このように熱媒が流れることにより、太陽光から熱媒に効果的に集熱できる。また集熱パネルＡの熱媒が排出されるときは、接続口５側に熱媒が流れるように抜けるのであるが、縦連通管７のある部分でも接続口６側から横連通管８を介して下横管３の方に熱媒が流れ、複数の集熱パネルＡを接続してあっても全ての熱媒が抜ける。
【００２４】
また複数並べた集熱パネルＡのうち一方の端部の集熱パネルＡの接続口５に復路管路２０を接続し、他方の端部の集熱パネルＡの接続口６に往路用管路１９を接続して使用する場合、図７に示すように横連通管８の逆止弁９が利かないように弁穴１３にスリーブ１５を挿通する。この状態で循環ポンプ２１を駆動して熱媒を循環させると、接続口６から流入した熱媒は縦連通管７を流れると共に横連通管８を介して下横管３に流れ、下横管３から縦管４を流れ、縦連通管８及び縦管４から上横管２に流れ、上横管２から縦連通管１０を介して接続口５に流れ、太陽光から集熱される。このとき、下横管３と縦連通管１０とが横連通管１１にて繋がっているが、逆止弁９があるために横連通管１１から直接接続口５に流れることなく、全ての熱媒が縦管４及び縦連通管７を通る。このように熱媒が流れることにより、太陽光から熱媒に効果的に集熱できる。また集熱パネルＡの熱媒が排出されるときは、接続口６側に熱媒が流れるように抜けるのであるが、縦連通管１０のある部分でも接続口５側から横連通管１１を介して下横管３の方に熱媒が流れ、複数の集熱パネルＡを接続してあっても全ての熱媒が抜ける。
【００２５】
上記の例の集熱パネルＡは熱媒が左右方向のいずれの方向に循環するときもスリーブ１５を装着する逆止弁９を代えるだけで同じ１種類の集熱パネルＡで対応することができる。また熱媒を排出するとき全ての集熱パネルＡの熱媒を抜くことができる。
【００２６】
【発明の効果】
本発明の請求項１の集熱パネルは、叙述のように集熱パネル本体の下部の横方向の一端側及び他端側に接続口を設け、一端側の接続口に下横管の一端側を連通させると共に他端側の接続口に上横管の他端側を縦連通管を介して連通させ、縦連通管の下端と下横管の他端側とを横連通管にて連通させると共に横連通管に一端側から他端側への熱媒の流れを遮断するが他端側から一端側への熱媒の流れを許す逆止弁を配置したので、集熱パネルを左右に並べて設置して隣り合う集熱パネルの接続口同士が接続した状態で集熱パネルに一端側の接続口側から熱媒が流入すると、一端側の接続口から下横管に流入し、下横管から複数の縦管を通り、縦管から上横管に流入し、上横管から縦連通管を通って他端側の接続口に流れるものであって、全ての熱媒が縦管を通るように循環して効果的に集熱できるものであり、しかも熱媒を交換するために熱媒を排出するときは、一端側の接続口側に流れるように抜けるのであるが、縦連通管のある部分でも他端側の接続口側から横連通管を介して下横管の方に熱媒が流れ、複数の集熱パネルを接続してあっても全ての熱媒が抜けるものである。
【００２７】
また本発明の請求項２の集熱パネルは、集熱パネル本体の下部の横方向の一端側及び他端側に接続口を設け、一端側の接続口に上横管の一端側を縦連通管を介して連通させると共に他端側の接続口に上横管の他端側を縦連通管を介して連通させ、一端側の縦連通管の下端と下横管の一端側とを横連通管にて連通させると共にこの横連通管に一端側から他端側への熱媒の流れを許すが他端側から一端側への熱媒の流れを遮断する逆止弁を配置し、他端側の縦連通管の下端と下横管の他端側とを横連通管に連通させると共にこの横連通管に一端側から他端側への熱媒の流れを遮断するが他端側から一端側への熱媒の流れを許す逆止弁を配置し、上記両逆止弁のうち一方を選択的に利かないようにして連通するようにしたので、
集熱パネルを左右に並べて設置して隣り合う集熱パネルの接続口同士を接続した状態で集熱パネルに一端側の接続口から熱媒が流入する場合、一端側の横連通管の逆止弁が利かないように開放しておくと、熱媒が一端側の接続口から横連通管を介して下横管に流入すると共に一端側の接側口から一端側の縦連通管を通り、下横管から複数の縦管を通り、一端側の縦連通管及び縦管から上横管に流入し、上横管から他端側の縦連通管を通って他端側の接続口に流れるものであって、全ての熱媒が縦管と一端側の縦連通管を通るように循環して効果的に集熱できるものであり、しかも熱媒を交換するために熱媒を排出するときは、一端側の接続口側に流れるように抜けるのであるが、他端側の縦連通管のある部分でも他端側の接続口から他端側の横連通管を介して下横管の方に熱媒が流れ、複数の集熱パネルを接続してあっても全ての熱媒が抜けるものであり、また集熱パネルに他端側の接続口から熱媒が流入する場合、他端側の横連通管の逆止弁が利かないように開放しておくと、熱媒が他端側の接続口から他端側の横連通管を介して下横管に流入すると共に他端側の接側口から他端側の縦連通管を通り、下横管から複数の縦管を通り、他端側の縦連通管及び縦管から上横管に流入し、上横管から一端側の縦連通管を通って一端側の接続口に流れるものであって、全ての熱媒が縦管と他端側の縦連通管を通るように循環して効果的に集熱できるものであり、しかも熱媒を交換するために熱媒を排出するときは、他端側の接続口側に流れるように抜けるのであるが、一端側の縦連通管のある部分でも一端側の接続口から一端側の横連通管を介して下横管の方に熱媒が流れ、複数の集熱パネルを接続してあっても全ての熱媒が抜けるものであり、従って集熱パネルの左右方向のいずれの方向に熱媒が循環するとも同じ１種類の集熱パネルで対応することができるものであり、しかも熱媒を排出するとき全ての集熱パネルの熱媒を抜くことができるのである。
【００２８】
また本発明の請求項３の集熱パネルは、請求項２において、逆止弁は横連通管の内面に全周に亙って設けた弁座用鍔部と、弁座用鍔部で囲まれた弁穴を開閉するために弁座用鍔部の片面側に回動自在に装着された弁板とで構成され、弁板を回転自在に支持した側と反対側から弁穴にスリーブが挿通されると共にスリーブの鍔が弁座用鍔部に当接されて弁板が開放保持されるようにしたので、横連通管の逆止弁が利かなく連通するようにするとき、接続口から弁穴にスリーブを差し込むだけでよく、逆止弁を利くようにしたり、利かないようにしたりする操作が容易にできるものである。
【図面の簡単な説明】
【図１】本発明の実施の形態の一例の集熱パネルを接続した状態の平面断面図である。
【図２】図１のＸ部を拡大せる断面図である。
【図３】同上の集熱パネルと貯湯槽の接続状態を説明する説明図である。
【図４】同上の他の例の集熱パネルを接続した状態の平面断面図である。
【図５】（ａ）は図４のＹ部拡大断面図、（ｂ）は図４のＺ部拡大断面図である。
【図６】（ａ）は同上の一使用状態の平面断面図、（ｂ）は（ａ）のＶ部拡大断面図である。
【図７】（ａ）は同上の他の使用状態の平面断面図、（ｂ）は（ａ）のＷ部拡大断面図である。
【図８】従来例の集熱パネルを接続した状態の平面断面図である。
【図９】従来例の集熱パネルを接続した状態の平面断面図である。
【符号の説明】
Ａ  集熱パネル
１  集熱パネル本体
２  上横管
３  下横管
４  縦管
５  接続口
６  接続口
７  縦連通管
８  横連通管
９  逆止弁
１０  縦連通管
１１  横連通管
１２  弁座用鍔部
１３  弁穴
１４  弁板
１５  スリーブ
１５ａ  鍔
【図１】
2004317005.tif 000003
【図２】
2004317005.tif 000004
【図３】
2004317005.tif 000005
【図４】
2004317005.tif 000006
【図５】
2004317005.tif 000007
【図６】
2004317005.tif 000008
【図７】
2004317005.tif 000009
【図８】
2004317005.tif 000010
【図９】
2004317005.tif 000011